(57)【要約】  光源と光検出器との間の光路内に分析すべき液体試料（３０５）を保持するのに使用する試料受取装置（３０１）、及び保持する方法。試料受取本体（３０２）は、試料ダクト（３０３）と、液体試料（３０５）を試料ダクト（３０３）に入れることができるようにするためのポート（３０４）とを画定する。試料ダクトは光源入力位置（３０６）と光検出器入力位置（３０７）との間で液体試料（３０５）を受け取るように構成され、光源入力位置と光検出器入力位置との間の距離は試料光路長（Ｌ）を画定する。試料受取装置（３０１）は、光源入力位置（３０６）と光検出器入力位置（３０７）との間の距離が試料光路長（Ｌ）の長さを調整するために調整可能であるように構成される。分光光度計で使用するための試料受取装置（３０１）。少量の試料（３０５）で使用するための試料受取装置。【選択図】  図４
2013545998.tif 000002
【特許請求の範囲】
【請求項１】
分光測定用光源と分光測定用検出器との間の光路内に分析すべき液体試料を保持するための試料受取装置であって、前記試料受取装置が、
試料ダクトと、液体試料を前記試料ダクトに入れることができるようにするためのポートとを画定する試料受取本体を含み、
前記試料ダクトが光源入力位置と光検出器入力位置との間で液体試料を受け取るように構成され、前記光源入力位置と前記光検出器入力位置との間の距離が試料光路長を画定し、
前記試料受取装置は、前記光源入力位置と前記光検出器入力位置との間の前記距離が前記試料光路長の長さを調整するために調整可能であるように構成される、試料受取装置。
【請求項２】
前記ポートは、液体試料を前記試料ダクトから出すことができるように構成される、請求項１記載の試料受取装置。
【請求項３】
前記試料受取本体が固定光源入力位置を画定し、
前記試料受取装置が、光入力面をもたらす光検出器部材をさらに含み、
前記光検出器部材は、
前記光検出器入力位置が前記試料ダクト内の前記光入力面の位置にあり、
前記光入力面が、前記試料光路長の大きさを調整するために前記光源入力位置を基準にして移動可能であるように
前記光入力面を前記試料ダクト内で配置するために、前記試料受取本体の前記試料ダクト内で移動可能に受け取られ得る、請求項１又は請求項２記載の試料受取装置。
【請求項４】
前記光検出器部材の前記光入力面を前記光源入力位置に移動させたり、それから移動させたりすることができるように構成される、請求項３記載の試料受取装置。
【請求項５】
前記光検出器部材が、前端部及び後端部を有する細長い本体を含み、
前記細長い本体の前記前端部が光入力開口を画定し、
前記細長い本体が前記光入力開口から延びる内部孔を画定し、
前記細長い本体は、光ファイバ要素の光入力端部が前記光入力開口内にあるように前記光ファイバ要素を前記内部孔内で受け取るように構成される、請求項３記載の試料受取装置。
【請求項６】
前記試料ダクトが、前記試料受取本体の光入力端部に開口する入力端点と前記試料受取本体の光出力端部に開口する出力端点との間を、前記試料受取本体を通って延びる、請求項１乃至請求項５のいずれか１項記載の試料受取装置。
【請求項７】
前記光源入力位置が前記試料ダクトの前記入力端点である、請求項５に従属する請求項６記載の試料受取装置。
【請求項８】
前記試料受取本体の前記光入力端部が、光源送出要素の光源送出面に当接するように構成される、請求項７記載の試料受取装置。
【請求項９】
前記試料受取本体の前記試料ダクト内で前記光検出器部材を移動させるための光検出器部材アクチュエータをさらに含む、請求項３記載の試料受取装置。
【請求項１０】
前記試料ダクト内の前記光検出器部材の前記光入力面の位置を指し示すための光検出器部材位置指示器をさらに含む、請求項３記載の試料受取装置。
【請求項１１】
前記光検出器部材位置指示器が、
光源と光検出器との間に線形検出ゾーンを含み、前記線形検出ゾーン内で前記光検出器部材の前記後端部の前記位置を検出するように構成される前記光源及び前記光検出器
を含む、請求項１０記載の試料受取装置。
【請求項１２】
前記光検出器部材位置指示器の前記光源が発光ダイオードランプを含む、請求項１１記載の試料受取装置。
【請求項１３】
前記光検出器部材位置指示器の前記光検出器が線形ＣＣＤアレイ検出器を含む、請求項１１記載の試料受取装置。
【請求項１４】
両端を含んで０．１ｍｍと１０ｍｍとの間の範囲の試料光路長を設定するように構成される、請求項１乃至請求項１３のいずれか１項記載の試料受取装置。
【請求項１５】
両端を含んで０．０２μｌと２．０μｌとの間の範囲の試料体積で使用するように構成される、請求項１乃至請求項１４のいずれか１項記載の試料受取装置。
【請求項１６】
前記試料受取本体は、洗液を前記試料ダクトに入れることができるように構成される洗浄ポートをさらに画定する、請求項１乃至請求項１５のいずれか１項記載の試料受取装置。
【請求項１７】
光源と光検出器との間の光路内に分析すべき液体試料を保持する方法であって、
光入力端部と光出力端部との間を延びる試料ダクトと、液体試料を前記試料ダクトに入れることができるようにするためのポートとを画定する試料受取本体を含み、且つ前記試料ダクト内に移動可能に配置される光入力面をもたらす光検出器部材を含む試料受取装置を受け取り、
前記光路が前記試料ダクトを通って延びるように光源送出要素の光源送出面に対して前記試料受取本体の前記光入力端部を配置し、
液体試料を前記ポートに導入し、
前記光検出器部材を前記試料ダクトに沿って前記光源送出要素の前記光源送出面から離れるように移動させて、前記ポートに導入された液体試料を前記ポートから前記試料ダクトに引き込む
ことを含む、方法。
【請求項１８】
前記光検出器部材を前記試料ダクトに沿って前記光源送出要素の前記光源送出面の方に移動させて、前記ポートから前記試料ダクトに引き込まれた液体試料を前記ポートに押し戻す
ことをさらに含む、請求項１７記載の方法。
【請求項１９】
実質的に、添付図面を参照して本明細書に記載されるような、及び添付図面に示されるような試料受取装置。
【請求項２０】
実質的に、添付図面を参照して本明細書に記載されるような、及び添付図面に示されるような、光源と光検出器との間の光路内に分析すべき液体試料を保持する方法。
【発明の詳細な説明】
【技術分野】
【０００１】
本発明は、分光測定用光源と分光測定用検出器との間の光路内に分析すべき液体試料を保持するための試料受取装置及び方法に関する。
【背景技術】
【０００２】
分光光度法は分光法の一部門であり、材料による放射エネルギーの反射又は透過を波長の関数として定量的に測定するものである。分光光度計は光源及び光検出器を含む。分析すべき試料は光源と光検出器との間の光路内に配置され、分光光度計は光源波長の関数として光強度を測定する。１ｃｍ光路の業界標準が知られている。
【０００３】
電磁スペクトルの特定の領域、例えば、紫外、可視、及び赤外で使用するように構成された様々なタイプの分光光度計がある。分光光度計は、物理学、化学、及び生化学の分野を含む多くの分野で使用されている。
【０００４】
分析すべき試料はキュベットに供給されることが知られている。キュベットはガラス、プラスチック、又は石英から製作されることが知られている。キュベットの材料中の不純物又は欠陥が分光光度計で行われる測定に影響を与えることがあるという問題が存在する。それに加えて、キュベットを使用すると、分光光度計を使用するコストが増える。
【０００５】
分光光度計は液体試料を分析するのに使用されることが知られている。液体試料は溶液とすることができる。比較的微量、例えば、２．０μｌ以下の液体試料に好適なキュベットを実現することが困難であるという問題が存在する。
【０００６】
試料光路長に干渉しない、光源と光検出器との間の光路内に液体試料を保持するための技法を使用することが望ましい。
【先行技術文献】
【特許文献】
【０００７】
【特許文献１】英国特許第２１９３３１３号
【発明の概要】
【課題を解決するための手段】
【０００８】
第１の態様によれば、分光測定用光源と分光測定用検出器との間の光路内に分析すべき液体試料を保持するのに使用するための試料受取装置が提供され、前記試料受取装置は、試料ダクトと、液体試料を試料ダクトに入れることができるようにするためのポートとを画定する試料受取本体を含み、前記試料ダクトは光源入力位置と光検出器入力位置との間で液体試料を受け取るように構成され、前記光源入力位置と前記光検出器入力位置との間の距離が試料光路長を画定し、前記試料受取装置は、前記光源入力位置と前記光検出器入力位置との間の距離が前記試料光路長の長さを調整するために調整可能であるように構成される。
【０００９】
一実施形態では、ポートは、液体試料を試料ダクトから出すことができるように構成される。
【００１０】
一実施形態では、試料受取装置は、両端を含んで０．１ｍｍと１０ｍｍとの間の範囲の試料光路長を設定するように構成される。一実施形態では、試料受取装置は、両端を含んで０．０２μｌと２．０μｌとの間の範囲の試料体積で使用するように構成される。
【００１１】
一実施形態では、試料受取本体は、洗液を試料ダクトに入れることができるように構成される洗浄ポートをさらに画定する。
【００１２】
第２の態様によれば、光源と光検出器との間の光路内に分析すべき液体試料を保持する方法が提供され、前記方法は、光入力端部と光出力端部との間を延びる試料ダクトと、液体試料を前記試料ダクトに入れることができるようにするためのポートとを画定する試料受取本体を含み、且つ前記試料ダクト内に移動可能に配置される光入力面をもたらす光検出器部材を含む試料受取装置を受け取り、前記光路が前記試料ダクトを通って延びるように光源送出要素の光源送出面に対して前記試料受取本体の前記光入力端部を配置し、液体試料を前記ポートに導入し、前記光検出器部材を前記試料ダクトに沿って移動させることを含む。
【００１３】
次に、本発明をより良く理解するために、及び本発明をどのように実行に移すことができるかを示すために、添付図面を参照しながら本発明による特定の実施形態、方法、及びプロセスを単なる例示として説明する。
【図面の簡単な説明】
【００１４】
【図１】使用時の試料受取装置の概略図である。
【図２】ベールの法則を示す図である。
【図３】第１の特定の例による試料受取装置の機構を示す図である。
【図４】特定の例による試料受取装置のさらなる機構を示す図である。
【図５】特定の例による試料受取装置の試料受取本体及び光検出器部材をさらに詳細に示す図である。
【図６】使用するように構成された特定の例による試料受取装置を示す図である。
【図７】試料受取本体に光検出器部材を完全に挿入して、液体試料を受け取る準備ができた後の特定の例による試料受取装置を示す図である。
【図８】図７において、分析のために光検出器部材を試料受取本体の内部から引き出して、液体試料を試料受取本体中に導入した後のシナリオの図である。
【図９】図８において、試料受取本体内の液体試料を分析した後のシナリオの図である。
【図１０】図９において、光検出器部材を試料受取本体中に完全に挿入した後のシナリオの図である。
【図１１】特定の例による試料受取装置のさらなる機構を示す図である。
【図１２】特定の例による試料受取装置のさらなる機構を示す図である。
【図１３】特定の例による試料受取装置のオプションの機構を示す図である。
【図１４】特定の例による試料受取装置のオプションの機構を示す図である。
【図１５】本明細書に記載されるような機構を有する試料受取装置を示す図である。
【発明を実施するための形態】
【００１５】
次に、発明者等が意図する特定の形態を例として説明する。以下の説明において、完全な理解を提供するために多数の特定の詳細を述べる。しかし、本発明はこれらの特定の詳細に限定されることなく実施することができることが当業者には明らかであろう。他の例では、説明を不必要に曖昧にしないために周知の方法及び構造は詳細には説明されていない。
【００１６】
図１
図１は、使用時の試料受取装置の概略図を示す。試料受取装置１０１は、符号１０３で示す液体試料が光源１０４と光検出器１０５との間の光路に配置される構成で液体試料１０３を保持するための試料受取本体１０２を含む。図示の構成では、光源１０４から光検出器１０５まで矢印１０６で示された方向に通る光路は、受け取った液体試料１０３を通過する。光路が液体試料１０３を通って移動する距離は経路長Ｌである。
【００１７】
この図に示した構成では、試料光路長Ｌは、光路の方向に沿って、光源入力位置１０７と光検出器入力位置１０８との間で画定される。この図に示すように、この図示の構成では、光源１０４及び光検出器１０５は各々実質的に平坦な表面を呈し、それらの間に試料受取本体１０２が配列される。光源１０４及び光検出器１０５の対面する実質的に平坦な表面は互いに平行に延び、光路Ｌは各平行面に垂直に延びる。
【００１８】
図２
図２は、２０１にベールの法則を示す。ベールの法則（ベール−ランベルトの法則又はベール−ランベルト−ブーゲの法則としても知られている）が示すところによれば、試料中の吸収物質による光の吸収は、試料中の吸収物質の濃度と、試料光路長とに比例する。図２に示めすように、ベールの法則はＡ＝εｃｌとして記述され、ここで、Ａは吸光度であり、ｃはｍｏｌ・Ｌ-1単位の濃度であり、ｌはｃｍ単位の試料光路長であり、εはＬ・ｍｏｌ-1ｃｍ-1単位のモル吸光率である。明らかに、ベールの法則から、試料光路長をできるだけ正確に決定することが重要である。
【００１９】
図３
図３は、特定の例による、分光測定用光源と分光測定用検出器との間の光路内に液体試料を保持するのに使用するための試料受取装置３０１の機構を示す。試料受取装置３０１は試料受取本体３０２を含む。試料受取本体３０２は、符号３０３で示す試料ダクトと、符号３０５で示す液体試料を試料ダクト３０３に入れることができるようにするための符号３０４で示すポートとを画定する。この特定の例において、ポート３０４は、さらに、液体試料３０５が試料ダクト３０３から出ることができるようにする。試料ダクト３０３は光源入力位置３０６と光検出器入力位置３０７との間で液体試料３０５を受け取るように構成され、光源入力位置３０６と光検出器入力位置３０７との間の距離は試料光路長Ｌを画定する。以下でさらに詳細に説明するように、試料受取装置３０１は、試料光路長Ｌの長さを調整するために光源入力位置３０６と光検出器入力位置３０７との間の距離を調整することができるように構成される。
【００２０】
図４
図４は、試料受取装置３０１のさらなる機構を示す。
【００２１】
試料受取本体３０２は固定光源入力位置３０６を画定する。試料受取装置３０１は、光入力面４０２をもたらす光検出器部材４０１をさらに含む。光検出器部材４０１が試料受取本体３０２の試料ダクト３０３内に移動可能に受け取られて、光入力面４０２が試料ダクト３０３内に配置され、その結果、光検出器入力位置３０７は試料ダクト３０３内の光入力面４０２の位置にあり、その光入力面４０２は試料光路長Ｌの大きさを調整するために矢印４０３で示すように光源入力位置３０６を基準にして移動可能である。現在の特定の例によれば、試料受取装置３０１は、光検出器部材４０１の光入力面４０２を光源入力位置３０６に移動させたり、それから移動させたりすることができるように構成される。この特定の例によれば、最大有効試料光路長は、矢印ＢＬで示す試料受取本体の長さである。
【００２２】
したがって、試料受取装置３０１は、試料光路長Ｌを有効試料光路長範囲内で変更することができる。この機構は、様々な体積の試料で試料受取装置を使用するのに有利である。
【００２３】
図５
図５は、現在の特定の例による試料受取装置の試料受取本体３０２及び光検出器部材をさらに詳細に示す。図５では、試料受取本体３０２及び光検出器部材４０１は互いに隔てられた状態で示す。
【００２４】
光検出器部材４０１は、前端部５０２及び後端部５０３を有する細長い本体５０１を含む。細長い本体５０１の前端部５０２は、符号５０４で示す光入力開口を画定する。細長い本体５０１は、光入力開口５０４から延びる内部孔５０５を画定する。この例では、試料受取本体３０２の試料ダクト３０３は円筒状である。細長い本体５０１は、中央内部孔５０５内で光ファイバ要素５０６を受け取るように構成された管であり、その結果、光ファイバ要素５０６の光入力端部５０７は円形光入力開口５０４内にある。光ファイバ要素５０６で受け取られた光は解析器に入力される。
【００２５】
試料受取本体３０２の試料ダクト３０３は、試料受取本体３０２の光入力端部５０９に開口する入力端点５０８と、試料受取本体３０２の光出力端部５１１に開口する出力端点５１０との間を試料受取本体３０２を通って延びる。図示のように、光源入力位置３０６は、試料ダクト３０３の入力端点５０８の位置にある。試料受取本体３０２の光入力端部５０９は、光源送出要素の光源送出面に当接するように構成される。
【００２６】
この図では、試料受取本体３０２の光入力端部５０９から光出力端部５１１、及び光検出器部材４０１の前端部５０２から後端部５０３の方向が矢印５１２で示す。
【００２７】
この図で分かるように、ポート５０４には、傾斜した端面部分が試料受取本体３０２の光入力端部５０９に備えられ、端面部分は入力端点５０８から光出力端部５１１の方に離れるように傾斜する。
【００２８】
図６
図６は、使用するように構成された現在の特定の例による試料受取装置を示す。一用途では、この図に示すように、試料受取本体は水平に向きを定められる。
【００２９】
光入力端部５０９が光源送出要素６０２の光源送出面６０１に当接する試料受取本体３０２が示される。試料受取本体３０２は、矢印６０３で示す光源送出要素６０２からの光が光源送出面６０１から試料ダクト３０３を通って光検出器部材４０１の光入力開口５０４まで矢印６０３で示された方向に通過するように光源送出要素６０２を基準にして配置される。
【００３０】
前に述べたように、試料光路長Ｌは、光源入力位置３０６と光検出器入力位置３０７との間で画定される。光検出器入力位置３０７は、試料光路長Ｌの大きさを調整するために矢印６０４で示すように光源入力位置３０６を基準にして移動可能である
光源送出要素６０２の光源送出面６０１は、この図に示されるような当接状態にあるとき、事実上、ポート５０４の壁を形成する。
【００３１】
図７
図７は、使用するように構成され、液体試料を受け取る準備ができている現在の特定の例の試料受取装置を示す。
【００３２】
光入力端部５０９が光源送出要素６０２の光源送出面６０１に当接する試料受取本体３０２が示される。光検出器部材４０１が試料受取本体３０２の試料ダクト３０３の内部に完全に挿入され、その結果、前端部５０２も光源送出要素６０２の光源送出面６０１に当接する。図示のように、この構成では、光検出器入力位置３０７は光源入力位置３０６と同じ位置にある。
【００３３】
次に、符号７０１で示す液体試料をポート５０４に導入することができる。この図示のシナリオでは、液体試料７０１はピペット７０２から分与されている。
【００３４】
次に、光検出器部材４０１は、矢印７０３で示された方向に試料受取本体３０２の試料ダクト３０３から引き出すことができる。この動作により、ポート５０４中の液体は試料受取本体３０２の試料ダクト３０３に引き込まれることになる。
【００３５】
図８
図８は、図７において、試料受取本体３０２の試料ダクト３０３から光検出器部材４０１を引き出した後のシナリオを示す。矢印８０３で示された方向に光検出器部材４０１を移動させる動作により、光検出器入力位置３０７は光源入力位置３０６から遠ざけられている。これにより、液体試料７０１が試料受取本体３０２の試料ダクト３０３に引き込まれることになり、同時に試料光路長Ｌが画定されることになる。次に、所望の大きさの試料光路長Ｌで、試料を分析することができる。
【００３６】
したがって、光源と光検出器との間の光路内に液体試料を保持する方法は、光入力端部と光出力端部との間を延びる試料ダクトと、液体試料を試料ダクトに入れることができるようにするためのポートとを画定する試料受取本体を含み、且つ試料ダクト内に移動可能に配置される光入力面をもたらす光検出器部材を含む試料受取装置を受け取り、光路が試料ダクトを通って延びるように光源送出要素の光源送出面に対して試料受取本体の光入力端部を配置し、液体試料をポートに導入し、光検出器部材を試料ダクトに沿って移動させることを含む。
【００３７】
図９
図９は、図８において、試料７０１を分析した後のシナリオを示す。次に、光検出器部材４０１は、矢印９０１で示された方向に試料受取本体３０２の試料ダクト３０３内にさらに移動することができる。この動作は、試料受取本体３０２の試料ダクト３０３中の液体試料７０１をポート５０４に押し込むことになる。液体試料７０１はピペット９０２でポート５０４から除去することができる。
【００３８】
図１０
図１０は、図９において、矢印１００１で示された方向に光検出器部材４０１を移動させた後のシナリオを示す。この図では、光検出器部材４０１が試料受取本体３０２の試料ダクト３０３に再び完全に挿入されており、その結果、光検出器入力位置３０７は図７に示した開始位置の構成におけるように光源入力位置３０６と同じ位置にあることが示されている。
【００３９】
図９を参照して述べたように、ポート５０４中にあるいかなる液体試料７０１もピペット９０２でポート５０４から除去することができる。
【００４０】
したがって、試料受取装置では、液体試料は分析の後に回収することができる。この特徴は、容易には入手することができない試料を再使用できるようにするのに有利である。試料の入手しやすさが制限される場合があり、又は試料が非常に高価である場合があることが認識されるべきである。
【００４１】
有利には、試料受取装置によれば、キュベットを使用する必要がなくなる。
【００４２】
一実施形態では、光検出器部材４０１はステンレス鋼管から製作される。一例では、光検出器部材４０１は、約０．５ｍｍの外径を有するステンレス鋼管から製作される。一実施形態では、試料受取本体３０２は円筒状試料ダクト３０３を画定する。一例では、試料受取本体３０２は、約０．５ｍｍの直径を有する円筒状試料ダクト３０３を画定する。一例では、光検出器部材４０１は、約０．５ｍｍの外径を有するステンレス鋼管から製作され、試料受取本体３０２の試料ダクト３０３は、約０．５ｍｍの直径を有する円筒状試料ダクト３０３を画定する。
【００４３】
一実施形態では、試料受取本体３０２は、ポリテトラフルオロエチレン（ＰＴＦＥ）又はフッ素化エチレンプロピレン（ＦＥＰ）から製作される。これらの材料は、ある程度の弾性を有する。一例では、試料受取本体３０２は、ポリテトラフルオロエチレン（ＰＴＦＥ）又はフッ素化エチレンプロピレン（ＦＥＰ）から製作され、０．５ｍｍよりもわずかに小さい直径を有する円筒状試料ダクト３０３を画定し、光検出器部材４０１は、約０．５ｍｍの外径を有するステンレス鋼管から製作される。これらの材料のいずれかの圧縮性によって、締り嵌めを伴って光検出器部材４０１を試料受取本体３０２の試料ダクト３０３内に受け取ることができるようになり、それにより、有利には、光検出器部材４０１と試料受取本体３０２との間が封止されて、液体試料の保持が補助される。
【００４４】
さらに、ポリテトラフルオロエチレン（ＰＴＦＥ）及びフッ素化エチレンプロピレン（ＦＥＰ）は各々それへのタンパク質試料の付着に対する耐性という有利な性質を示す。
【００４５】
図１１
図１１は、試料受取装置３０１のさらなる機構を示す。試料受取装置３０１は、試料受取本体３０２の試料ダクト３０３内で光検出器部材４０１を移動させるための光検出器部材アクチュエータ１１０１を含む。電動光検出器部材アクチュエータは、微調整するのに有利である。光検出器部材アクチュエータは光検出器部材の制御を容易にする。
【００４６】
図１２
図１２は、試料受取装置３０１のさらなる機構を示す。試料受取装置３０１は、試料受取本体３０２の試料ダクト３０３内の前記光検出器部材４０１の光入力面４０２の位置を指し示すための光検出器部材位置指示器１２０１を含む。
【００４７】
この例によれば、光検出器部材位置指示器１２０１は、光源１２０２と光検出器１２０３との間に符号１２０４で示す線形検出ゾーンを備えるように構成され、線形検出ゾーン１２０４内で光検出器部材４０１の後端部５０３の位置を検出するように構成された光源１２０２及び光検出器１２０３を含む。光検出器部材４０１の前端部５０２と後端部５０３との間の距離Ｄが既知であることに基づいて、光検出器部材４０１の前端部５０２の位置は、光検出器部材４０１の後端部５０３の位置が分かれば計算することができる。
【００４８】
一例では、光検出器部材位置指示器１２０１の光源１２０２は発光ダイオードランプを含む。一例では、光検出器部材位置指示器１２０１の光検出器１２０３は、１０２４個又は２０４８個の画素を有する線形ＣＣＤ又はダイオードアレイ検出器を含む。そのとき、位置精度は画素サイズによって決定される。試料受取装置のこの機構により、有利には、試料光路長の決定の精度を改善することができる。特定の例では、光検出器１２０３は１０μｍの精度である。
【００４９】
一実施形態では、試料受取装置は、両端を含んで０．１ｍｍと１０ｍｍとの間の範囲の試料光路長を設定するように構成される。一実施形態では、試料受取装置は、両端を含んで０．０２μｌと２．０μｌとの間の範囲の試料体積で使用するように構成される。したがって、試料受取装置により、有利には、少量の試料の分析が可能になる。
【００５０】
本明細書に記載されるような試料受取装置は、任意のタイプの分光光度計、例えば、紫外、可視、又は赤外分光光度計で使用することができることが認識されるべきである。試料受取装置は、有利には、既存の分光光度計で使用することができることが理解されるべきである。本明細書に記載されるような試料受取装置は、受け取った液体試料の分析に好適な任意のタイプの光源及び光検出器を用いて使用することができることがさらに認識されるべきである。
【００５１】
図１３及び１４
試料受取装置３０１のオプションの機構が図１３及び１４に示される。図示のように、試料受取本体３０２は、試料ダクト３０３の方に開かれた符号１３０２で示す洗浄出口ポートを有する符号１３０１で示す洗浄ダクトをさらに画定する。洗浄ダクト１３０１により、試料ダクトを清浄にするために洗液（図示せず）を試料ダクト３０３に導入することができるようになる。この機構により、試料受取本体３０２を再使用するために試料ダクト３０３を洗浄することができるようになる。この機構は、試料受取装置３０１が粘着性試料で使用されるときに特に有利である。この図示の例では、洗浄ダクト１３０１は、試料受取本体３０２の外側表面の方に開けられた符号１３０３で示す洗浄入口ポートを有する。図示の構成によれば、洗浄ダクト１３０１は、試料ダクト３０３の長さ方向Ｌに対して実質的に垂直に延びる。
【００５２】
図示のように、洗浄ダクト１３０１は試料受取本体３０２の光出力端部５１１の近くに配置され、その結果、光検出器部材４０１は、光検出器部材４０１が矢印１３０４で示された方向に十分な距離を移動されて、洗浄出口ポート１３０２が露出されるまで（図１４に示されるように）洗浄出口ポート１３０２をふさいでいる（図１３に示されるように）。
【００５３】
任意の好適な洗液を使用することができ、試料受取本体の試料ダクトを清浄にするために洗液を使用するのに好適な任意の装置、及び洗液を使用する方法を利用することができる。一例では、洗液ポンプが、洗浄ダクト及び試料ダクトを通る洗液の流れを生じさせるために備えられる。
【００５４】
図１５
図１５は、特定の例による、分光測定用光源と分光測定用検出器との間の光路内に液体試料を保持するのに使用するための試料受取装置１５０１を示す。試料受取装置１５０１は、試料受取本体１５０２を通って延びる符号１５０３で示す試料ダクトと、液体試料を試料ダクト１５０３に入れることができるようにするための、試料受取本体１５０２の一方の端部における符号１５０４で示すポートとを画定する試料受取本体１５０２を含む。試料受取本体１５０２は、洗液を試料ダクト１５０３に入れることができるようにするための符号１５０５で示す洗浄ダクトをさらに画定する。
【００５５】
本明細書に記載されるような試料受取装置は、分析のために分光測定用光源と分光測定用検出器との間の光路内に液体試料を保持することができるようにし、その液体試料を回収することができるようにすることが認識されるべきである。本明細書に記載されるような試料受取装置は、試料ダクト内で受け取られる光検出器部材が、液体試料の流入及び流出を制御するために分光測定用光源と分光測定用検出器との間の光路に沿って移動することができるようにすることが認識されるべきである。
【図１】
2013545998.tif 000003
【図２】
2013545998.tif 000004
【図３】
2013545998.tif 000005
【図４】
2013545998.tif 000006
【図５】
2013545998.tif 000007
【図６】
2013545998.tif 000008
【図７】
2013545998.tif 000009
【図８】
2013545998.tif 000010
【図９】
2013545998.tif 000011
【図１０】
2013545998.tif 000012
【図１１】
2013545998.tif 000013
【図１２】
2013545998.tif 000014
【図１３】
2013545998.tif 000015
【図１４】
2013545998.tif 000016
【図１５】
2013545998.tif 000017
【国際調査報告】
2013545998.tif 000018
2013545998.tif 000019
2013545998.tif 000020